(57)【特許請求の範囲】
【請求項１】
表面が吸水性を有し、この表面から吸水された水が内部に保水可能になされるとともに、裏面及び端面に防水処理が施されたことを特徴とする屋根材。
【請求項２】
請求項１に記載の屋根材の端面同志を相じゃくり等で突き合わせて葺かれていることを特徴とする屋根構造。
【請求項３】
屋根材の端面間にシーリング剤を塗布したことを特徴とする請求項２に記載の屋根構造。
【請求項４】
屋根材の表面に水をまく散水手段が設けられていることを特徴とする請求項２又は３に記載の屋根構造。
【発明の詳細な説明】
【０００１】
【発明の属する技術分野】
本発明は、保水性を有し、重ね部が相尺形状になされた屋根材と、この屋根材で葺かれた屋根構造に関する。
【０００２】
【従来の技術】
従来の屋根は、例えば、特許公報第２５０５９９５号（登録日平成８年４月２日）に記載されている。前記公報記載の屋根は、例えば母屋などの支持部材上に直接または下層材などを介して水漏れ防止板を敷設し、水漏れ防止板に金属垂木などの取付部材を配置し、これらの上に天然スレート、タイルなどからなる屋根材を係合部材に固定した屋根材ユニットを支持させ、軒棟方向に隣接する屋根材ユニットの係合部材同士を係合させると共に、係合部材を前記取り付け部材に固定することで、多数個の盤状の屋根材を用いて屋根を構築できるようにしたものである。
【０００３】
【発明が解決しようとする課題】
しかしながら、上記公報記載の屋根は、屋根材に保水させることを意図したものでなく、屋根の構築構造に特徴を有するものである。すなわち、この屋根は、夏期において屋根表面が過熱するという問題がある。
また、屋根材を複数個横一列に固定した屋根材ユニットを用いて屋根を構築するものであるから、この屋根材ユニットは面積も小さく重量も重くない。従って、屋根の構築作業が容易になるという効果があるものの、屋根材ユニットは係合部材同士を係合させると共に、水漏れ防止板を敷設してこの上に取り付け部材を配置し、この取付部材に屋根材ユニットを支持固定するものであるから、取り付け構造が複雑になるという問題がある。
【０００４】
さらにまた、上記公報記載の屋根構造は、防水性を確保するため、屋根材同志を重ねて葺くものであるから、屋根表面を面一に仕上げることができなかった。
【０００５】
本発明は、上記の問題を解決するためになされたものであって、本発明の第１目的は、屋根表面の過熱を防止できる屋根材を提供することと、この屋根材で葺かれた取り付け構造の簡単な屋根構造を提供することである。
【０００６】
また、本発明の第２目的は、屋根表面を面一に仕上げることができる屋根構造を提供することである。
【０００７】
【課題を解決するための手段】
本発明は、表面が吸水性を有し、この表面から吸水された水が内部に保水可能になされるとともに、裏面及び端面に防水処理が施された屋根材であることを特徴とする。
【００１１】
また、前記屋根材の端面同志を相じゃくり等で突き合わせて葺かれている屋根構造であることを特徴とする。
【００１２】
さらに、前記屋根構造において、屋根材の端面間にシーリング剤を塗布したことを特徴とするものである。
【００１６】
さらに、前記屋根構造において、屋根材の表面に水をまく散水手段が設けられているものである。
【００１７】
本発明において、相じゃくりとは、板厚の半分ずつを欠き取って合わせた板のはぎかたであって、突き合わされる一側端面の上部に凸部が、下部に凹部が形成され、他側端面の上部に前記凸部と符号する凹部が、下部に前記凹部と符合する凸部が形成されているものである。
相じゃくり等とは、上記相じゃくりの他に、本ざね、雇いざね、そぎはぎ、相欠等を含むものである。
【００１８】
【作用】
請求項１記載の屋根材は、表面が吸水性を有し、この表面から吸水された水を内部に保水可能になされたものであるから、直射日光で屋根材が加熱されたときに屋根材に保水された水分が蒸発し、そのときに気化熱を奪って屋根が過熱されることを防止できる。
【００２１】
また、本発明の屋根構造は、屋根材の端面同志を相じゃくり等で突き合わせて葺かれてなるものであるから、屋根材同志を重ねて葺き、防水性を確保する必要がない。従って、屋根面を面一に仕上げた屋根構造とするができる。
【００２２】
さらに、屋根材の裏面が防水処理されているものであるから、屋根材の内部に保水された水が小屋裏に透水して雨漏りすることを防止できると同時に、保水された水が抜けにくいので保水性にすぐれる。
【００２３】
また、裏面に防水処理が施された構成であるから、この屋根材の裏面側に防水材を敷設することを省略でき、取り付け構造を簡略化できる。
【００２５】
また、屋根材の表面に水をまく散水手段が設けられたものであれば、屋根材の内部に保水する水を補給でき、晴天続きであっても屋根材の過熱を防止できる。
【００２６】
【発明の実施の形態】
以下、本発明の実施の形態を図面を参照して説明する。
（第１実施例）
図１〜図４は、請求項１〜３と請求項１０に係る本発明の一実施例であって、図１は屋根材の斜視図、図２は屋根が図１の屋根材で葺かれた建物の斜視図、図３は図２の屋根構造の縦断面図、図４は図３のＡ−Ａ線における屋根の下端面図である。
【００２７】
図において、１は屋根材、１１は屋根材の表面、２は建物、３は屋根、４は散水管、２１は小屋梁、２２は垂木、２３は母屋、２４は外壁材、３１は防水材、３２は受材、３３は鼻隠し、３４は軒樋、３５は竪樋である。
【００２８】
本発明に係る屋根材１は、透水性タイルで形成された方形の板状体であって、表面１１が多数の微小孔により吸水性を有し、この微小孔が内部と連通していて、表面１１から吸水された水を内部に保水可能になされている。
なお、屋根材１は上記透水性タイルに限定されるものでなく、表面１１が吸水性を有し、内部が保水性を有するものであればよい。例えば、表面１１がゆう薬や塗料等で隠蔽されていないタイル、瓦であってもよく、また煉瓦、気泡コンクリート（ＡＬＣ）、連続気泡入りガラス等も好適に使用できる。さらにまた、合成樹脂多孔質体や植物繊維の集積体等であってもよい。さらにまた、表面１１をゆう薬や塗料で完全に隠蔽しないで、部分的に隠蔽したようなものであってもよい。
【００２９】
図２に示す建物２は、上記屋根材１で葺かれた屋根３を有する住宅であって、この建物２の棟に沿って散水管４が設けられ、この散水管４の多数の小孔から屋根材１の表面に水を撒くことができるようになっている。
【００３０】
上記屋根３の屋根構造の詳細は、図３と図４に示している。建物２は鉄骨骨組み構造であって、小屋梁２１の上に角鋼管製の垂木２２が小屋梁３の傾斜面に沿って設置され、この垂木２２と直交して母屋２３（角鋼管製）が取り付けられている。
本実施例の屋根３は、上記母屋２３の上に敷設されたキーストンプレート製の防水材３１と、この防水材３１の上に取り付けられた受材３２を介して葺かれた前記屋根材１とで構成されている。すなわち、図４に示すように、屋根材１の裏面側に受材３２を介して防水材３１が敷設され、この防水材３１は山部と谷部とが交互に折り曲げられて形成されたものであるから、屋根材１と防水材３１の谷部間に空隙Ｋが設けられている。
【００３１】
なお、上記屋根３の先端側には鼻隠し３３が間隔を開けて取り付けられ、屋根３と鼻隠し３３の間に軒樋３４が取り付けられ、この軒樋３４には呼樋を介して竪樋３５が外壁材２４に沿って設置されている。
【００３２】
つぎに、上述のような構成になされた本実施例の屋根材１と、この屋根材１で葺かれた屋根３の作用について説明する。
本実施例の屋根材１は、透水タイル製であって、表面１１が吸水性を有し、この表面１１から吸水された水を内部に保水可能になされたものであるから、直射日光で屋根材１が加熱されたときに屋根材１に保水された水分が蒸発し、そのときに気化熱を奪って屋根３が過熱されることを防止できる。
【００３３】
本実施例の屋根３は、上記屋根材１の裏面側にキーストンプレート製の防水材３１を敷設してなるものであるから、屋根材１に保水しきれずに透過した水は防水材３１の谷部に沿って屋根３の下方に流れ、小屋裏に透水して雨漏りすることを防止できる。
【００３４】
また、本実施例の屋根３は、屋根材１と防水材３１との間に空隙Ｋが設けられているものであるから、この空隙Ｋが断熱層として働き、屋根３の過熱による影響を緩和でき、小屋裏を涼しくする。
【００３５】
さらにまた、本実施例の屋根３には、屋根材１の表面に水をまく散水管４が棟に沿って設けられているものであるから、屋根材１の内部に保水する水を補給でき、晴天続きであっても屋根材１の過熱を防止できる。
【００３６】
（第２実施例）
つぎに、請求項４または５に係る本発明の別の実施例を、図５を参照して説明する。図５は、屋根構造の縦断面図である。
以下の実施例において、前記実施例と同じものは同符号を付けて説明を省略し、異なるものは別符号を付けて説明することとする。
【００３７】
３Ａは屋根構造であって、この屋根構造３Ａは、屋根材１Ａの端面１１Ａ同志を相じゃくり（相欠）で突き合わせて葺かれているものである。上記屋根材１Ａは、前記第１実施例と同様、表面が吸水性を有し、この表面から吸水された水が内部に保水されるようになされているものであるが、吸水性のない屋根材であってもよい。
上記屋根材１Ａの裏面側には、前記第１実施例と同様、防水材３１が敷設され、屋根材１Ａと防水材３１の間に空隙が形成されている。
【００３８】
本実施例の屋根構造３Ａは、屋根材１Ａの端面１１Ａ同志を相じゃくりで突き合わせて葺かれ、裏面側に防水材３１を敷設してなるものであるから、屋根材同志を重ねて葺き、防水性を確保する必要がない。従って、屋根面を面一に仕上げた屋根構造３Ａとするができる。
また、相じゃくりで突き合わされているので、強風を受けても屋根材１Ａが吹き飛び難い。
【００３９】
（第３実施例）
つぎに、請求項６、７に係る本発明の他の実施例を図６と図７を参照して説明する。
図６は屋根材の斜視図、図７は図６の屋根材で葺かれた屋根構造の縦断面図である。
図において、１ａは屋根材、３ａは屋根、１１ａは屋根材の表面、１１ｂは屋根材の裏面、１１ｃは係止部、２２ａは垂木、３２ａは受材である。
【００４０】
本発明に係る屋根材１ａは、図６に示すように、透水性タイルで形成された方形の板状体であって、表面１１ａが多数の微小孔により吸水性を有し、この微小孔が内部と連通していて、表面１１から吸水された水を内部に保水可能になされている。そして、裏面１１ｂは、ゆう薬で防水膜が形成され、防水処理されている。この防水処理は、塗装で形成されていてもよいし、防水性を有する材料が貼着されているものであってもよい。
【００４１】
図７は、上記屋根材１ａで葺かれた屋根３ａを示したものであって、垂木２２ａの上に屋根材１ａが受材３２ａを介して取り付けられている。この受材３２ａは断面コ字形状の長尺材であって、垂木２２ａと直角方向に架け渡され、屋根材１ａの裏面に設けられた断面Ｌ字形状の係止部１１ｃを受材３２ａの開口側に挿入して係止する。また、屋根材１ａは、隣り合う屋根材１ａとオーバラップさせて葺かれている。
【００４２】
上記構成になされた本実施例の屋根材１ａと、この屋根材１ａで葺かれた屋根３ａの作用について説明する。
本実施例の屋根材１ａは、裏面１１ｂが防水処理されているものであるから、屋根材１ａの内部に保水された水が小屋裏に透水して雨漏りすることを防止できると同時に、保水された水が抜けにくいので保水性にすぐれる。
【００４３】
本実施例の屋根３ａは、裏面１１ｂが防水処理された屋根材１ａで葺かれたものであるから、この屋根材１ａの裏面側に前記実施例のごとき防水材を敷設することを省略でき、取り付け構造を簡略化できる。
また、屋根材１ａはオーバラップさせて葺かれているので、重ね合わせ部に入った水は屋根材１ａの表面から吸水され、屋根材１ａの隙間から屋根３ａの裏側へ雨水が浸入しにくいので屋根３ａの防水性が向上する。
【００４４】
（第４実施例）
つぎに、請求項８または９に係る本発明の他の実施例を、図８〜図１０を参照して説明する。
図８は屋根構造の縦断面図、図９と図１０は図８の変形例を示す屋根構造の縦断面図である。
【００４５】
図８において、３Ｂは屋根構造であって、この屋根構造３Ｂは、屋根材１Ｂの裏面１２Ｂと端面１１Ｂが防水処理され、屋根材１Ｂの端面１１Ｂ同志を相じゃくりで水密に突き合わせて葺かれているものであって、他は前記第３実施例と同じ構造になされている。端面１１Ｂ同志を水密にするため、シーリング剤等を端面１１Ｂ間に塗布して突き合わせると、尚よい。
上記屋根材１Ｂは、前記第３実施例と同じく、透水性タイルで形成され、裏面１２Ｂが防水処理されたものであるが、透水性のない磁気タイルで形成されたものであってもよい。
【００４６】
図９に示す屋根構造３Ｃは、上記相じゃくりに代えて、屋根材１Ｃの端面１１Ｃ同志を本ざねで突き合わせて葺かれているものである。
図１０に示す屋根構造３Ｄは、上記相じゃくりに代えて、屋根材１Ｄの端面１１Ｄ同志をそぎはぎで突き合わせて葺かれているものである。
【００４７】
本実施例の屋根構造３Ｂ、３Ｃ、３Ｄは、いずれも、裏面が防水処理された屋根材１Ｂ、１Ｃ、１Ｄの端面同志を相じゃくり等で突き合わせて葺かれているものであるから、屋根材同志を重ねて葺き、防水性を確保する必要がない。従って、屋根面を面一に仕上げた屋根構造とするができる。
また、相じゃくり等で突き合わされているので、強風を受けても屋根材１Ｂ、１Ｃ、１Ｄが吹き飛び難いし、端面１１Ｂ、１１Ｃ、１１Ｄの水密性も向上する。
【００４８】
【発明の効果】
請求項１記載の屋根材は、表面が吸水性を有し、この表面から吸水された水を内部に保水可能になされたものであるから、直射日光で屋根材が加熱されたときに屋根材に保水された水分が蒸発し、そのときに気化熱を奪って屋根が過熱されることを防止できる。従って、建物の小屋裏を涼しくする効果があり、夏場の冷房負荷を節約できる。都市部におけるヒートアイランド対策としても有効である。
【００５１】
また、本発明の屋根構造は、屋根材の端面同志を相じゃくり等で突き合わせて葺かれてなるものであるから、屋根材同志を重ねて葺き、防水性を確保する必要がない。従って、屋根面を面一に仕上げた屋根構造とするができる。また、強風に煽られても屋根材が飛び難い。
【００５２】
さらに、屋根材の裏面が防水処理されているものであるから、屋根材の内部に保水された水が小屋裏に透水して雨漏りすることを防止できると同時に、保水された水が抜けにくいので保水性にすぐれる。
【００５３】
また、裏面に防水処理が施された構成であるから、この屋根材の裏面側に防水材を敷設することを省略でき、取り付け構造を簡略化できる。
【００５５】
また、屋根材の表面に水をまく散水手段が設けられたものであれば、屋根材の内部に保水する水を補給でき、晴天続きであっても屋根材の過熱を防止できる。
【図面の簡単な説明】
【図１】本発明の一実施例であって、屋根材の斜視図である。
【図２】屋根が図１の屋根材で葺かれた建物の斜視図である。
【図３】図２の屋根構造の縦断面図である。
【図４】図３のＡ−Ａ線における屋根の下端面図である。
【図５】本発明の別の実施例であって、屋根構造の縦断面図である。
【図６】本発明の他の実施例であって、屋根材の斜視図である。
【図７】図６の屋根材で葺かれた屋根構造の縦断面図である。
【図８】本発明の他の実施例であって、屋根構造の縦断面図である。
【図９】本発明の他の実施例であって、屋根構造の縦断面図である。
【図１０】本発明の他の実施例であって、屋根構造の縦断面図である。
【符号の説明】
１、１ａ、１Ａ、１Ｂ、１Ｃ、１Ｄ      屋根材
１１、１１ａ                            屋根材の表面
１１Ａ、１１Ｂ、１１Ｃ、１１Ｄ          屋根材の端面
１２Ｂ、１２Ｃ、１２Ｄ                  屋根材の裏面
２                                    建物
３、３ａ、３Ａ、３Ｂ、３Ｃ、３Ｄ      屋根
４                                    散水管
２１                                    小屋梁
２２、２２ａ                            垂木
２３                                    母屋
３１                                    防水材
３２、３２ａ                            受材
３３                                    鼻隠し
【図１】
0003782553.tif 000002
【図２】
0003782553.tif 000003
【図３】
0003782553.tif 000004
【図４】
0003782553.tif 000005
【図５】
0003782553.tif 000006
【図６】
0003782553.tif 000007
【図７】
0003782553.tif 000008
【図８】
0003782553.tif 000009
【図９】
0003782553.tif 000010
【図１０】
0003782553.tif 000011